(57)【要約】【課題】  刃でけがをしないようにする。【解決手段】  隠蔽シート４ａを巻いたロール４を保持する一対の挟持片２と、この挟持片に一体的に設けるとともに、上記挟持片で挟持されたロールの軸心に平行にしたケーシング１と、このケーシングに摺動自在に組み込んだ保持体７と、この保持体に保持させた刃６と、上記保持体をケーシングの内方に押し込む方向に勢力を付与するバネ部材１６と、上記ケーシング内で上記刃と平行な方向に摺動可能にした押出部材１０と、押出部材の上記平行方向への移動にともなって、保持体を上記刃とは直交する方向に移動させるためのカム部とを備え、通常は、バネ部材のバネ力の作用で、保持体がケーシング内に位置して保持体に保持した刃をケーシング内に収納し、上記押出部材の移動にともなって保持体が移動して刃をケーシングから露出させる構成にした。【選択図】  図４
2005288652.tif 000002
【特許請求の範囲】
【請求項１】
隠蔽シートを巻いたロールを保持する一対の挟持片と、この挟持片に一体的に設けるとともに、上記挟持片で挟持されたロールの軸心に平行にしたケーシングと、このケーシングに摺動自在に組み込んだ保持体と、この保持体に保持させた刃と、上記保持体をケーシングの内方に押し込む方向に勢力を付与するバネ部材と、上記ケーシング内で上記刃と平行な方向に摺動可能にした押出部材と、押出部材の上記平行方向への移動にともなって、保持体を上記刃とは直交する方向に移動させるためのカム部とを備え、通常は、バネ部材のバネ力の作用で、保持体がケーシング内に位置して保持体に保持した刃をケーシング内に収納し、上記押出部材の移動にともなって保持体が移動して刃をケーシングから露出させる構成にした隠蔽シート用カッター。
【請求項２】
上記押出部材に押し部を設けるとともに、この押し部を上記ケーシングの側面であって、挟持片で挟持されたロールの軸心と平行になる方向に突出させた請求項１記載の隠蔽シート用カッター。
【発明の詳細な説明】
【技術分野】
【０００１】
この発明は、養生用シートあるいはマスキング用シート等の隠蔽シートをカットするためのカッターに関する。
【背景技術】
【０００２】
この種のカッターとして、特許文献１に記載されたものが従来から知られている。この従来のカッターは、円筒状のホルダーにマスキング用シートを巻いたロールを入れるとともに、そのロールの先端をホルダーに形成した引き出し口から引き出すようにしている。そして、この引き出し口には刃を露出させておき、引き出したシートをこの刃でカットするようにしている。
【特許文献１】実公平４−００３９５９号公報
【発明の開示】
【発明が解決しようとする課題】
【０００３】
上記のようにした従来のカッターでは、その刃が常時露出しているので、危険性が高いという問題があった。
この発明の目的は、シートをカットする機能を損なうことなく、常に安全な隠蔽シート用カッターを提供することである。
【課題を解決するための手段】
【０００４】
第１の発明は、隠蔽シートを巻いたロールを保持する一対の挟持片と、この挟持片に一体的に設けるとともに、上記挟持片で挟持されたロールの軸心に平行にしたケーシングと、このケーシングに摺動自在に組み込んだ保持体と、この保持体に保持させた刃と、上記保持体をケーシングの内方に押し込む方向に勢力を付与するバネ部材と、上記ケーシング内で上記刃と平行な方向に摺動可能にした押出部材と、押出部材の上記平行方向への移動にともなって、保持体を上記刃とは直交する方向に移動させるためのカム部とを備え、通常は、バネ部材のバネ力の作用で、保持体がケーシング内に位置して保持体に保持した刃をケーシング内に収納し、上記押出部材の移動にともなって保持体が移動して刃をケーシングから露出させる構成にした点に特徴を有する。
【０００５】
第２の発明は、上記押出部材に押し部を設けるとともに、この押し部を上記ケーシングの側面であって、挟持片で挟持されたロールの軸心と平行になる方向に突出させた点に特徴を有する。
【発明の効果】
【０００６】
第１の発明によれば、通常は、刃をケーシング内に収納し、必要に応じて刃を露出させることができるので、従来のように露出した刃によって人がけがをすることもなくなる。
しかも、刃が必要なときには、押出部材を移動して当該刃をケーシングから露出させることができるので、シートをカットする機能も損なわれることがない。
【０００７】
第２の発明によれば、押出部材を移動させるための押し部を、ケーシングの側面であって、挟持片で挟持されたロールの軸心と平行になる方向に突出させたので、ケーシングの両サイドを手で握ったとき、親指などでこの押し部を押し込むことができる。したがって、隠蔽シートをカットするときの作業性が極めて良くなる。
【発明を実施するための最良の形態】
【０００８】
図示の実施形態において、ケーシング１には、一対の挟持片２，２を一体に設けるとともに、これら挟持片２，２の先端であって、互いに対向する側面に支持突部３，３を設けている。そして、この支持突部３，３を隠蔽シート４ａのロール４の芯孔内に挿入することによって、ロール４を挟持片２，２の先端間で回転自在に保持するものである。
【０００９】
また、上記ケーシング１には、図３に示すように、支持突部３，３の中心を貫く軸線に対して平行にした収納部５を設けるとともに、この収納部５に、刃６を保持した保持体７を摺動自在に組み込むものである。そして、上記収納部５は、直方体形状にしてその一方を開口５ａとするとともに、この収納部５には、支持突部３，３の上記軸線と対向する側面にスリット５ｂを形成している。
【００１０】
一方、保持体７は、図４に示すように、その一側に斜面８を形成するとともに、その中央部分には、バネ組み入れ穴９を、刃６の刃先に直交する方向に形成している。そして、収納部５内において上記保持体７に隣接して押出部材１０を組み込んでいるが、この押出部材１０には斜面１１を形成し、この斜面１１を前記保持体７の斜面８と接触させるとともに、これら両斜面８，１１が相まってこの発明のカム部を構成している。
【００１１】
また、上記押出部材１０には、棒状の押し部１２を設けているが、この押し部１２は、収納部５の側面外方であって、挟持片２，２で挟持されたロール４の軸心と平行になる方向に突出させている。このように収納部５から突出させた押し部１２には、その先端に設けた頭部１２ａと収納部５の側面との間にスプリング１３を介在させ、通常は、上記押出部材１０が、収納部５内において保持体７とは反対側面に圧接するようにしている。
【００１２】
そして、押出部材１０を、上記のように収納部５内で保持体７とは反対側面に圧接させ、かつ、斜面８，１１が接触した状態では、斜面８と反対側における保持体７の側面が収納部５の側壁に接触するとともに、バネ組み入れ穴９と上記スリット５ｂとが重なり合う状態で対応する関係にしている。
【００１３】
上記のように互いに対応したスリット５ｂおよびバネ組み入れ穴９部分には、図３に示すように、ネジ１４でケーシング１に固定したばね受け部材１５を組み付けている。すなわち、このばね受け部材１５には、受け部１５ａを設けるとともに、この受け部１５ａとは反対側面にネジ止め凸部１５ｂを形成し、ケーシング１の外方から挿入した上記ネジ１４をこのネジ止め凸部１５ｂまで貫通させて、当該ばね受け部材１５をケーシング１に固定している。このようにしたばね受け部材１５は、図３からも明らかなように、その受け部１５ａを上記スリット５ｂおよびバネ組み入れ穴９内に臨ませている。
【００１４】
そして、上記ばね受け部材１５に設けた受け部１５ａと、保持体７のバネ組み入れ穴９の端部９ａとの間にバネ部材１６を介在させている。このようにしたバネ部材１６は、保持体７に対してそれを収納部５内に押し込む方向のバネ力を付与するものである。
【００１５】
次に、この実施形態の作用を説明する。
図１に示すように、挟持片２，２で挟持したロール４から隠蔽シート４ａを所望の長さに引き出したら、押し部１２の頭部１２ａを、親指などを使って、スプリング１３に抗して押し込む。押し部１２が押し込まれれば、押出部材１０が刃先と平行な方向にスライドする。このとき斜面８，１１からなるカム部の機能により、上記押出部材１０の移動する力が、保持体７を、刃先と直交する方向に移動させる力となる。刃先と直交する方向とは、すなわち刃６を収納部５から露出させる方向である（図４参照）。これによって、保持体７はバネ部材１６に抗して移動し、刃６の刃先を収納部５の開口５ａから露出させる。このようにして露出した刃６で、上記のように引き出した隠蔽シート４ａをカットする（図３参照）。
【００１６】
隠蔽シート４ａをカットし終わったら、押し部１２に作用させていた押圧力を開放する。押し部１２が開放されれば、押し部１２はスプリング１３の作用で図４に示す位置に復帰するとともに、保持体７もバネ部材１６のバネ力で図４に示す位置、すなわち刃先を収納部５に収納させた位置に復帰する。
【００１７】
上記のようにこの実施形態では、押し部１２を押し込んで、押出部材１０を移動させれば、保持体７の移動にともなって、刃６が収納部５から押し出される。また、押し部１２の押圧力を開放すれば、刃６が収納部５に自動的に収納されることになる。逆の言い方をすれば、刃６を必要とするときに、作業者が意識的にその刃６を押し出さない限り、刃６は収納部５内に収まった状態を保つ。したがって、刃６を使用しない状態のときに、その刃６でけがをするようなことがなくなる。
【図面の簡単な説明】
【００１８】
【図１】この発明の実施形態の斜視図である。
【図２】図１の状態からロールとばね受け部材を取り外した状態の斜視図である。
【図３】図１のIII-III線断面図である。
【図４】図３のIV-IV線断面図である。
【符号の説明】
【００１９】
１        ケーシング
２        挟持片
４        ロール
４ａ      隠蔽シート
６        刃
７        保持体
１０      押出部材
１２      押し部
１６      バネ部材
【図１】
2005288652.tif 000003
【図２】
2005288652.tif 000004
【図３】
2005288652.tif 000005
【図４】
2005288652.tif 000006